(57)【要約】      （修正有）【課題】１本欠損の場合に対応させて、がたつきを生じにくく、かつ窮屈感を生じず、審美性を有する、ノンクラスプ一歯デンチャーを提供する。【解決手段】１つの人工歯Ｌ３と、人工歯が設けられる義歯床２０と、鉤歯にあてがわれるように嵌め合わせられて、クラスプの役割を果たす歯牙嵌合部Ｃを備え、歯牙嵌合部を含めて、熱可塑性樹脂によって形成され、歯牙嵌合部Ｃは、義歯床２０の一方の端にのみ設けられて、鉤歯に対応する開口部をＣ字状に囲んでおり、Ｃ字の内周に沿う内周面Ｆは、凹状嵌め合わせ部の裏面３３に対して交差するように立っていることを特徴とする。【選択図】図４
0003161481.tif 000002
【実用新案登録請求の範囲】
【請求項１】
１つの人工歯と、前記人工歯が設けられる義歯床と、鉤歯にあてがわれるように嵌め合わせる凹状嵌め合わせ部を備える、一歯デンチャーであって、
前記一歯デンチャーは、前記凹状嵌め合わせ部を含めて、熱可塑性樹脂によって形成され、
前記凹状嵌め合わせ部は、前記義歯床の一方の端にのみ設けられて、前記鉤歯に対応する開口部をＣ字状に囲んでおり、前記Ｃ字の内周に沿う内周面は、前記凹状嵌め合わせ部の裏面に対して交差するように立っていることを特徴とする、ノンクラスプ一歯デンチャー。
【請求項２】
前記開口部に面する内周面と、その内周面と前記裏面とのなす角度は、（直角−４５°）〜（直角＋４５°）の範囲にあることを特徴とする、請求項１に記載のノンクラスプ一歯デンチャー。
【請求項３】
前記開口部に面する内周面には、前記鉤歯の歯牙部分と歯茎部との境目の凹状屈曲部に対応する突状ラインがないことを特徴とする、請求項１または２に記載のノンクラスプ一歯デンチャー。
【請求項４】
前記１つの人工歯を有する前記義歯床の頬側の部分である頬側義歯床部の高さが、その人工歯の前記義歯床から露出する頬側の歯牙部分である頬側露出歯牙部の高さ、よりも小さいことを特徴とする、請求項１〜３のいずれか１項に記載のノンクラスプ一歯デンチャー。
【請求項５】
前記１つの人工歯において、頬側に露出する歯牙部分の高さである頬側露出歯牙高さは、舌側に露出する歯牙部分の高さである舌側露出歯牙高さよりも大きいことを特徴とする、請求項１〜４のいずれか１項に記載のノンクラスプ一歯デンチャー。
【請求項６】
前記Ｃ字状の凹状嵌め合わせ部は、頬側よりも舌側に、その多くの割合が位置するように配置されていることを特徴とする、請求項１〜５のいずれか１項に記載のノンクラスプ一歯デンチャー。
【考案の詳細な説明】
【技術分野】
【０００１】
本考案は、ノンクラスプ一歯デンチャーに関し、装着感、耐久性および審美性に優れた、ノンクラスプ一歯デンチャーに関するものである。
【背景技術】
【０００２】
旧来の金属のクラスプによる鉤歯（維持歯）に対するカセのような強い拘束による不快感を克服するために、金属のクラスプという概念を超えて、樹脂製のウィングや大振りの義歯床の顎堤粘膜への密着によって維持力を持たせる、ノンクラスプデンチャー（ノンクラスプ部分義歯とも記す）が提案されている（非特許文献１〜３）。これらノンクラスプデンチャーは、いずれも、弾性に富む熱可塑性樹脂のウィングや義歯床によって歯茎を頬側と舌側とから挟み付けることで、装着状態を安定に維持する。熱可塑性樹脂として、ポリカーボネート樹脂、ポリエステル樹脂、ナイロン（ポリアミド）系樹脂等が用いられる。ナイロン系樹脂を用いたノンクラスプデンチャーの例を図６に示す。ポリエステル樹脂やポリカーボネート樹脂を用いたノンクラスプデンチャーは、図６に示すものと同じ考えのもとに、同じ構造を有している。米国において既に実用化されているもので、バルプラスト、ルシトーン、ポリカーボネート等の名称で呼ばれる部分義歯である（非特許文献１〜３）。
これらのノンクラスプ部分義歯１５０は、人工歯以外はすべて熱可塑性樹脂で形成される。図６から分かるように、維持力を得るための鉤歯（生活歯）は、四周をほとんど囲まれた開口部１６１ｈに入れられ、大振りの義歯床１２０の延長部分のウィングＷと、義歯床の舌側部分とで鉤歯の歯牙および歯茎が挟み付けられる。部分義歯１５０を装着したとき、四周をほとんど囲まれた開口部１６１ｈに鉤歯が入り、鉤歯の周囲は周長の９０％程度もしくはそれ以上が、義歯床１２０に取り囲まれる。
【０００３】
図７（ａ）は、図６に示すノンクラスプ部分義歯１５０を、患者の石膏模型に装着して左側の部分を頬側から見た図である。少し下側から見上げる視点での図である。ここでは、２つの点が特徴的である。
１つは、半透明なために外側から識別できるのであるが、鉤歯の歯牙−歯茎の境目である凹状屈曲部に埋め込まれる、ノンクラスプ部分義歯における突状ラインＺが認められる。図７（ａ）では、破線Ｚとして表記されている。突状ラインＺは、患者の鉤歯（生活歯）の歯牙と歯茎との境界をなす凹状屈曲部にはまり込む。ノンクラスプ部分義歯１５０のウィングＷにおける突状ラインＺの位置から、ウィングＷが鉤歯の歯牙だけでなく、その根本側の歯茎にも当接することは明らかである。
２つ目は、端部人工歯に関するものである。人工歯Ｌ５、Ｌ６は、熱可塑性樹脂製の義歯床１２０に埋め込まれて固定されている。端部人工歯に限らず、人工歯にはＴ字状の連続孔が設けられており、このＴ字状の孔を樹脂が充填することでＴ字状の樹脂ワイヤが形成され、この樹脂ワイヤにより、人工歯は義歯床に固定される。鉤歯に対面する人工歯を端部人工歯と呼ぶが、図７（ａ）の人工歯Ｌ５およびＬ６は、それぞれ鉤歯Ｌ４およびＬ７に対面しており、ともに端部人工歯である。ノンクラスプデンチャー１５０では、端部人工歯Ｌ５，Ｌ６の部分の義歯床１２０を大きくとるために、かつ鉤歯の歯茎を挟み付けるウィングＷを大きくとるために、端部人工歯の義歯床の頬側の高さＢｅは、端部人工歯の義歯床から露出している歯牙部分Ｔｅよりも大きくとっている。
上記の２点は、ノンクラスプ部分義歯１５０の左側（Ｌ側）部分だけでなく、図７（ｂ）に示すように、右側（Ｒ側）部分についてもいえることである。すなわち図７（ｂ）において、鉤歯Ｒ５の部分のウィングＷには透けて見える突状ラインＺがあり、そして鉤歯Ｒ５に対面する端部人工歯Ｒ６の義歯床１２０の頬側高さＢｅは、その義歯床１２０から露出した歯牙部の高さＴｅより大きくしてある。
【０００４】
図８は、図６のノンクラスプ部分義歯１５０を裏側から見た図である。図８において注意すべき点は、鉤歯が入る開口部１６１ｈでは突状ラインＺを基準にして、歯茎側の歯茎当接面と歯牙側の歯牙当接面とが、同一面（同一曲面）にのっているかのように、食い違いが小さく連続している点にある。この点について、図９および図１０を用いて詳しく説明する。図９は、鉤歯Ｒ５のウィングＷを裏面から見た図である。また、図１０（ａ）は、図９のＸＡ−ＸＡ線に沿う断面図である。また図１０（ｂ）は、図１０（ａ）において突状ラインＺに直交する、各当接面上の線を示す図である。図９および図１０（ａ），（ｂ）より、ノンクラスプ部分義歯１５０のウィングＷにおいて、歯牙当接面と、その歯牙当接面から根本側に連続する歯茎当接面は、交差角度がほとんどなく、すなわちθＮが１８０°に近いように形成されている。突状ラインＺに直交する、各当接面上の線がなす角度は、厳密には、歯牙当接面と歯茎当接面とのなす角度に一致しないが、近似的には代用して議論しても問題ない。また、ウィングＷの中央部の高さＹは、ウィング中央部の厚みｄに比べて非常に大きく、厚みｄは、高さＹの２０％程度かそれ以下である。
【０００５】
ここで、従来のノンクラスプ部分義歯１５０の上記の特徴をまとめておく。
（１）鉤歯は、四周をほとんど取り囲まれた開口部１６１ｈに入れられる。鉤歯の周囲は周長の９０％程度が義歯床に取り囲まれる。
（２）鉤歯に接触するウィングＷは、鉤歯の歯牙と歯茎とに当接する。ウィングＷには、鉤歯の歯牙と歯茎との凹状境界部に対応して、突状ラインＺが形成される。突状ラインＺはウィングの中央付近に位置する。
（３）鉤歯に対面する人工歯である端部人工歯において、その部分の義歯床の高さＢｅはその義歯床から露出する歯牙部分の高さＴｅより大きい。
（４）鉤歯に接触するウィングＷにおいて、歯牙当接面と歯茎当接面とは大きな交差角度がなく、突状ラインＺを挟んで、ほとんど同一面のように連続する。
（５）ウィングＷの厚みｄは、そのウィングＷの高さＹの２０％程度もしくはそれ以下である。厚みｄはたとえば１ｍｍ程度以下であり、高さＹは６．５ｍｍ程度である。
【０００６】
上記のノンクラスプ部分義歯の装着状態の保持について、次のことがいえる。
（Ｋ１）頬側にウィングＷを配置して、舌側の義歯床との間で鉤歯とその歯茎（歯肉）を挟み付け、その弾性力で維持力を確保しようとする。
（Ｋ２）大ぶりの義歯床（熱可塑性樹脂）１２０と顎堤粘膜との大きい密着面積によって、維持力を得ようとする。
（Ｋ３）義歯床は、人工歯の部分では、顎堤粘膜をほぼ完全に覆うように義歯床を配置する。このため、義歯床は薄くして、とくに頬側の義歯床の厚みは薄くして、かつ広くする。美容上、健康を暗示する桜色、またはピンクの義歯床にするのが通例である。
上記の部分義歯１５０によれば、従来の鉤状の金属クラスプによる拘束よりは維持歯の負担が軽減され、装着感も改善される。また、金属クラスプを使用しないため、熱可塑性樹脂の色を桜色などの健康食にすれば、審美性も向上する。また、金属製クラスプを用いないので、溶融状態の熱可塑性樹脂を人工歯を配置した型内に射出して、冷却して型外し、調整することで、簡単に部分義歯を製造することができる。すなわち工程数を節減して能率よく製造することができる。
【先行技術文献】
【非特許文献】
【０００７】
【非特許文献１】バルプラストジャパンホームページ http://www.valplast-japan.com/
【非特許文献２】株式会社杏友会ホームページ http//www.kyoyukai.co.jp/
【非特許文献３】アルテ・インターナショナルホームページ http//www.pi-touch.co.jp
【考案の概要】
【考案が解決しようとする課題】
【０００８】
しかしながら、上記のノンクラスプデンチャーは、（Ｄ１）使用につれて次第にゆるみが生じ、上下方向への「がたつき」を生じる。このため、食物の咬合・咀嚼に、実際に用いることには問題が多いという意見もある。ただし、対談や談笑時に、相手に歯抜けなどの印象を与えないことを大きな目的とする場合には、非常に有効である。すなわち、非咬合時の歯牙完全性を見せるための部分義歯として用いる上では非常に有用である。ただし、見せるだけの非咬合時の歯牙完全性の保持の目的にしても、上記のノンクラスプデンチャーは、大振りであり、かつ、ウィングＷは、（Ｄ２）鉤歯の歯牙から歯茎（歯頚部）にまで密着被蓋するため、窮屈感または息苦しさは大きい。
とくに問題になるのは、１歯だけ欠損している患者の場合である。１歯欠損の場合であっても、維持力を上述のウィングＷに求めざるをえない。このため、人工歯１つを備えた部分義歯に大きなウィングを設けることになる。しかも、ある場合には、１つの人工歯であるにもかかわらず、図７（ａ），（ｂ）に示すように、両側にウィングを設ける場合さえある。このため、上記の短所（Ｄ２）が、部分義歯の大きさは小さいにもかかわらず、依然として重く存在する。上記の短所（Ｄ１）も克服されない。とくに１本欠損した小さいスペースの周囲にウィングを装着するため、装着時および脱離時に大きな変形を加えるので、ウィングのゆるみ（へたり）が早期に生じる。
【０００９】
本考案は、上記の１本欠損の場合に対応したものであり、がたつきを生じにくく、かつ窮屈感を生じず、審美性を有する、ノンクラスプ一歯デンチャーを提供することを目的とする。
【課題を解決するための手段】
【００１０】
本考案のノンクラスプ一歯デンチャーは、１つの人工歯と、人工歯が設けられる義歯床と、鉤歯にあてがわれるように嵌め合わせられて、クラスプの役割を果たす凹状嵌め合わせ部を備える。このノンクラスプ一歯デンチャーは、凹状嵌め合わせ部を含めて、熱可塑性樹脂によって形成され、凹状嵌め合わせ部は、義歯床の一方の端にのみ設けられて、鉤歯に対応する開口部をＣ字状に囲んでおり、Ｃ字の内周に沿う内周面は、凹状嵌め合わせ部の裏面に対して交差するように立っていることを特徴とする。
【００１１】
上記の構成によれば、凹状嵌め合わせ部が、鉤歯の歯牙にのみ、とくに歯牙の根本部（豊隆部から根本側の歯牙部分）に横方向（水平方向）からあてがわれて確実に嵌合力を及ぼして嵌め合わされる構造を得ることができる。以後の説明において、この凹状嵌め合わせ部を、歯牙にのみ嵌め合わされることから、歯牙嵌合部と呼ぶ。
歯牙嵌合部がとるＣ字形状は、ほぼ平面にのっており、その平面は鉤歯の歯軸に直交するような関係を呈する。上記の横方向もしくは水平方向は、このＣ字がのる平面の面内方向となる。上記の本考案の構成によれば、歯牙嵌合部は、歯牙の上記根本部にのみ嵌合し、歯茎または歯肉には嵌合力を及ぼさない。
歯牙嵌合部の内周面は、底部側を裏面によって限界づけられ、歯茎側に野放図に延びないようにされる。歯牙嵌合部が、歯牙部分にのみ嵌合力が及ぶように構成されると、食物を噛んだとき、歯肉側に押し付けられるが、反発しても歯牙の豊隆部で止められるので、がたつき等を生じて簡単に離脱することがない。
上記の歯牙嵌合部を備えた部分義歯は、全体を確実に小振りにできる点が大きな特徴である。本考案では、歯牙嵌合部は１つだけであり、従って鉤歯は１つだけである。１つの人工歯の部分義歯なので、上記の歯牙嵌合部は１つあれば十分である。この結果、コンパクト化すなわち小型化を際だたせることができる。狭いスペースに差し込みながら、力の方向を少し加減しつつ、１つの歯牙嵌合部を対応する鉤歯に嵌合することができる。ほとんど１押し込み操作で装着ができる。離脱も指でつまんで離脱の方向を調整しながら１操作で可能である。この装着および離脱の際に、歯肉には圧迫や締め付けはまったく及ぼさない。また、装着時には、本考案のノンクラスプ一歯デンチャーは、装着していることを忘れるのが、通常の常態である。それでいて歯牙（鉤歯）にしっかりと嵌合しているので、食物の咀嚼においては十分満たされた気持ちになることができる。
これに対して、上述のウィングなどが山状斜面をなす歯肉部に当接して圧力を及ぼすと、熱可塑性樹脂は弾力性に富むため、食物を噛んだときその斜面に押し当てられ、ずり下がりながら広げられ、その後、咬合圧が無くなると、歯肉斜面のすその義歯床部分の反発力により、斜面を容易にずり上がり離脱の状態に入る。このため、従来のノンクラスプデンチャーでは、維持力を増すことを目的に設けたウィング等の大振りの部分が歯肉斜面に当たるので、逆に離脱を促進する方向に作用する場合が多くあった。
歯牙嵌合部が鉤歯の豊隆部の下側に嵌合するので、上述の装着をすれば、装着状態からの離脱を確実に防止することができる。さらに、歯茎に当たるウィング等を用いないので、窮屈感等を除き、快適な装着感を得ることができる。また、金属クラスプを用いないので審美性にも優れている。
【００１２】
上記本考案では、一歯デンチャーに樹脂による歯牙嵌合部を用いた点にポイントがある。多歯デンチャーの場合に比べて、一歯デンチャーでは人工歯にかかる力、離脱方向の力が小さく、咬合時に部分義歯を傾かせる力も小さい。このため、金属に比べて剛性が小さい樹脂によって歯牙嵌合部を構成しても、その樹脂製の歯牙嵌合部は、安定して堅固に維持や把持を持続することができる。それも上述のように、小型化を十分に推進しながら、堅固に維持や把持を持続することができる。さらに、一歯デンチャーにかかる力は多歯デンチャーに比べて小さいことから、歯牙嵌合部を１つだけとして、その嵌合する１つの鉤歯への装着および離脱の操作を、非常に簡単に、ほとんど１タッチで行うことができる。
なお、歯牙嵌合部は、義歯床と同じ熱可塑性樹脂により形成されるので、義歯床の延長部とみることができる。このため、歯牙嵌合部の裏面は、義歯床の延長部の裏面、または義歯床に近接して歯牙嵌合部が形成される場合は、義歯床の裏面といってもよい。また、上記の熱可塑性樹脂はどのような種類の熱可塑性樹脂であってもよい。
【００１３】
上記の開口部に面する内周面と、その内周面と裏面とのなす角度を、（直角−４５°）〜（直角＋４５°）の範囲にすることができる。ここで、歯牙嵌合部の裏面については、義歯床の裏面とみることができるという上述の説明が適用される。内周面と裏面とのなす角度を直角または直角から所定角度範囲内とすることで、内周面を確実に歯牙部分にのみ嵌め合わせることができる。仮に上記の角度が１８０°に近い角度の場合、歯牙部分に連続して歯茎にも当接するおそれが高くなり、装着状態から離脱を促進する形状となりやすい。内周面と裏面とのなす角度が、１３５°（直角＋４５°）を超えると、上述のように裏面において歯茎に圧力を及ぼす可能性がある。すなわち内周面が、底部側を明確に裏面によって限界づけられず、歯茎側に野放図に延びて圧力を及ぼすようになる。より好ましくは、上記角度は１１０°（直角＋２０°）以下とする。また、上記の角度が４５°（直角−４５°）未満になると歯牙嵌合部が薄くなる箇所を局所的に生じ、歯牙嵌合部の剛性を低下させるので好ましくない。よって４５°以上とするのがよい。
【００１４】
上記の開口部に面する内周面、すなわち歯牙嵌合部の歯牙当接面には、鉤歯の歯牙部分と歯茎部との境目の凹状屈曲部に対応する突状ラインがないようにできる。これによって、上記の突状ラインが形成されないように、凹状嵌め合わせ部の内周面の高さ（歯軸方向の幅）は、鉤歯の歯茎にかからないように小さく（短く）切り上げられる。この結果、鉤歯の歯牙部分のみへの嵌合が担保される。
【００１５】
１つの人工歯を有する義歯床の頬側の部分である頬側義歯床部の高さを、その人工歯の義歯床から露出する頬側の歯牙部分である頬側露出歯牙部の高さ、よりも小さくすることができる。これによって、義歯床の頬側部分から歯牙嵌合部にかけて連続して、歯牙部分にのみ嵌め合い、かつ歯肉にはかからない熱可塑性樹脂部分をなだらかな傾斜で形成することができる。すなわち、頬側義歯床部の高さは小さく、小振りになっているので、そのまま、なだらかに（急峻に切り上げることなく）、歯肉にかからず鉤歯の歯牙部分にのみ嵌め合わされる熱可塑性樹脂製の頬側部分を形成することができる。
【００１６】
１つの人工歯において、頬側に露出する歯牙部分の高さである頬側露出歯牙高さを、舌側に露出する歯牙部分の高さである舌側露出歯牙高さよりも大きくすることができる。これによって、審美性を向上させることができる。
【００１７】
Ｃ字状の歯牙嵌合部を、頬側よりも舌側に、その多くの割合が位置するように配置することができる。これによって、歯牙嵌合部を目立たなくして、審美性を高めることができる。
【考案の効果】
【００１８】
本考案によれば、がたつきを生じにくく、かつ窮屈感を生じず、審美性を有する、１歯欠損用ノンクラスプ部分義歯を得ることができる。
【図面の簡単な説明】
【００１９】
【図１】本考案の実施の形態において、石膏模型に装着したノンクラスプ一歯デンチャーを頬側（おもて側）から見た斜視図である。
【図２】図１のノンクラスプ一歯デンチャーを近心側から見た斜視図である。
【図３】図１のノンクラスプ一歯デンチャーを舌側（裏側）から見た斜視図である。
【図４】（ａ）はノンクラスプ一歯デンチャーを鉤歯から見た斜視図、（ｂ）は裏面を鉤歯側から見た斜視図、（ｃ）は裏面を頬側（おもて側）から見た斜視図、である。
【図５】（ａ）は図４（ｂ）のＶＡ−ＶＡ線に沿う断面図、（ｂ）は図４（ｂ）のＶＢ−ＶＢ線に沿う断面図、である。
【図６】従来のノンクラスプデンチャーを示す斜視図である。
【図７】従来のノンクラスプデンチャーを石膏模型に装着した状態を示し、（ａ）は左側のウィング付近を、（ｂ）は右側のウィング付近を、示す図である。
【図８】従来のノンクラスプデンチャーを裏側から見た図である。
【図９】従来のノンクラスプデンチャーの右側の開口部を裏側から見た図である。
【図１０】（ａ）は図９のＸＡ−ＸＡ線に沿う断面図、（ｂ）は突状ラインを挟む歯牙当接面と歯茎当接面とがなす角度を説明するための図、である。
【考案を実施するための形態】
【００２０】
図１は、本考案の実施の形態におけるノンクラスプ一歯デンチャー（以後、デンチャーと記す）１０を石膏模型Ｍに装着した状態を示す正面図である。このデンチャー１０は、上顎用であり、義歯床２０と、１本の樹脂製の人工歯Ｌ３と、鉤歯（維持歯）への歯牙嵌合部Ｃとを備える。他の歯はすべて生活歯である。歯牙嵌合部Ｃが嵌合する鉤歯は、Ｌ４である。図１は正面図であるため、デンチャー１０の頬側が見えるため、審美性を向上させるために歯牙嵌合部Ｃを形成する頬側アーム１１の長さは短く、露出度が小さい。頬側アーム１１といっても義歯床２０と同じ樹脂で形成されて義歯床２０の一部をなすような形態で形成されている。
審美性を高めるために、人工歯Ｌ３の頬側高さＴｅは、その下の頬側歯肉部の高さＢｅよりもかなり大きい。このような構造によって白い健康な歯を目立たせることができる。
【００２１】
図２は、図１のデンチャー１０を斜め上からみた図である。歯牙嵌合部Ｃを形成する舌側アーム２１は、鉤歯Ｌ４の舌側（裏側）へと大きく延び出している。頬側アーム１１の控えめな延び出しと好対照をなしている。図３は、図１のデンチャー１０を舌側（裏側）から見た図である。裏側では、人工歯Ｌ３の露出した部分の高さＴｓは、頬側の露出部分の高さＴｅより小さく、また裏側の歯肉部の高さＢｓよりも小さい。人工歯Ｌ３に対する義歯床２０による強固な支持は、裏側によってなされているとみることができる。
【００２２】
図３は、図１のデンチャー１０を舌側（裏側）から見た斜視図である。図２で見たように、歯牙嵌合部Ｃの舌側アーム２１は鉤歯Ｌ３の舌側の根本、すなわち鉤歯Ｌ３の豊隆部Ｋよりも根本側に嵌め合わされている。これによって、デンチャー１０に離脱方向の力が加わっても、豊隆部Ｋによって舌側アーム２１の離脱方向への移動が妨げられ、離脱が防止される。頬側アーム１１は審美性を優れたものにするために、鉤歯Ｌ４の頬側に大きく延び出さないようにしているが、それでも図１に示したように、鉤歯Ｌ４の頬側の豊隆部Ｋより根本側に嵌合している。図１および図３より、デンチャー１０は、歯牙嵌合部（舌側アーム２１，頬側アーム１１）Ｃと、鉤歯Ｌ４の豊隆部Ｋの根本側への嵌合によって、維持力を得ていることが分かる。
【００２３】
図４は、デンチャー１０を示し、（ａ）はデンチャーのおもて側を鉤歯側から見た斜視図、（ｂ）はデンチャーの裏面を鉤歯側から見た斜視図、（ｃ）はデンチャーの裏面を頬側から見た斜視図、である。
図４（ａ）によれば、歯牙嵌合部Ｃは、上述の舌側アーム２１と、頬側アーム１１と、歯牙当接面Ｆとを、主要な構成要素として備える。歯牙当接面Ｆは、歯牙嵌合部Ｃまたは凹状嵌め合わせ部Ｃの内周面である。本考案において、歯牙嵌合部Ｃは、歯牙当接面Ｆを形成するための義歯床２０を含んでおり、緩く大きく捉えるのが妥当である。舌側アーム２１の延び出し部分の中央部付近の厚みｄ（図１０（ａ）の厚みｄに対応する）は、１ｍｍより大きく、所定レベル以上の剛性を有する。従来のノンクラスプデンチャーのウィングのような小さい剛性ではなく、高い剛性をもったアームで歯牙嵌合部Ｃを構成するため、堅固な嵌合が可能となる。
図４（ｂ）によれば、歯牙当接面Ｆは、裏面３３，３４に対して立っていることが分かる。すなわち、裏面３３，３４と歯牙当接面Ｆとは、直角に近い角度で交差している。この交差の角度θは、あとで説明するように、（直角−４５°）〜（直角＋４５°）の範囲である。この点が、本考案のデンチャーと、従来のノンクラスプデンチャーとの構造を明確に相違付けるポイントである。このように裏面３３，３４に対して立って面を歯牙当接面Ｆが持つことで、（１）本考案のデンチャー１０は大きな維持力を持つことができ、（２）従って小型化できるために装着感に優れ、（３）小型化および金属クラスプの不使用によって、審美性を向上させることができる。（４）一つの歯牙嵌合部によって堅固な装着常態を維持できるので、装着および脱離を非常に簡単に、ほとんど１タッチで行うことができる。
図４（ｂ）において、裏面３３は患者の顎堤粘膜（図示せず）の頂部に密着し、裏面３１は顎堤粘膜の舌側斜面（歯茎）に密着し、また裏面３２は顎堤粘膜の頬側斜面（歯茎）に密着する。裏面３４は、患者によって千差万別である歯茎の形状に適合させるための裏面の凹部である。
図４（ｃ）によれば、裏面３３と、歯牙当接面Ｆとが、ほぼ直交していることが分かる。このため、歯牙嵌合部Ｃは、鉤歯Ｌ４の歯牙にのみ嵌合して、鉤歯の歯茎などに嵌合力を及ぼすことはない。装着するのを忘れるほど装着感に優れるのは、この歯牙嵌合部Ｃの構造による。
【００２４】
図５は、歯牙当接面Ｆと裏面３３，３４とのなす角度を示す断面図である。図５（ａ）は、顎堤粘膜の頂部と密着する部分の裏面３３と、歯牙当接面Ｆとのなす角度θＮを示す。また（ｂ）は患者の歯肉に適合させるために設けた凹部裏面３４と、歯牙当接面Ｆとの角度θＮを示す。本考案でいう、裏面と歯牙当接面Ｆとの角度をもって、上述の凹状嵌め合わせ部の内周面と、裏面とのなす角度とする。ただし、図５（ａ），（ｂ）に示すように、両者には大きな相違はない。
歯牙当接面Ｆと裏面３３との角度は、両方の面を比較的大きく捉えて、角度θＮを決めるのが妥当である。
【００２５】
＜本考案のノンクラスプ一歯デンチャーのポイント＞
上記本考案では、一歯デンチャーに樹脂による歯牙嵌合部を用いた点にポイントがある。多歯デンチャーの場合に比べて、一歯デンチャーでは人工歯にかかる力、離脱方向の力が小さく、咬合時に部分義歯を傾かせる力も小さい。このため、金属に比べて剛性が小さい樹脂によって歯牙嵌合部を構成しても、その樹脂製の歯牙嵌合部は、安定して堅固に維持や把持を持続することができる。それも上述のように、小型化を十分に推進しながら、堅固に維持や把持を持続することができる。さらに、一歯デンチャーにかかる力は多歯デンチャーに比べて小さいことから、歯牙嵌合部を１つだけとして、その嵌合する１つの鉤歯への装着および離脱の操作を、非常に簡単に、ほとんど１タッチで行うことができる。
【００２６】
今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【産業上の利用可能性】
【００２７】
本考案のノンクラスプ一歯デンチャーにより、がたつきを生じにくく、かつ窮屈感を生じず、優れた審美性を得ることができ、装着離脱を１タッチで行うことができる。装着時は、どのような食物についても咀嚼を違和感なく行うことができる。
【符号の説明】
【００２８】
１０  部分義歯、１１  頬側延び出し部、２０  義歯床、２１  舌側延び出し部、３１  舌側歯茎に密着する裏面、３２  頬側歯茎に密着する裏面、３３  義歯床裏面（顎堤粘膜の頂部に密着する部分）、３４  歯茎に当接する裏面、１２０  従来のノンクラスプデンチャーの義歯床、１５０  従来のノンクラスプデンチャー、１６１ｈ  従来のノンクラスプデンチャーにおける鉤歯が入る開口部、Ｔｅ  人工歯の頬側の歯牙露出部の高さ、Ｂｅ  頬側の義歯床（歯肉部）の高さ、Ｔｓ  人工歯の舌側の歯牙露出部の高さ、Ｂｓ  舌側の義歯床（歯肉部）の高さ、Ｂｖ  従来のノンクラスプデンチャーの歯茎当接面、Ｃ  歯牙嵌合部（凹状嵌め合わせ部）、ｄ  延び出し部の中心の厚み、Ｆ  歯牙当接面（内周面）、Ｇ  豊隆部、Ｔｅ  人工歯の義歯床の頬側高さ、Ｙ  従来のノンクラスプデンチャーの頬側延び出し部の中心の高さ（幅）、Ｗ  従来のノンクラスプデンチャーのウィング、Ｚ  従来のノンクラスプデンチャーの突状ライン、θＮ  内周面と裏面とがなす角度。
【図１】
0003161481.tif 000003
【図２】
0003161481.tif 000004
【図３】
0003161481.tif 000005
【図４】
0003161481.tif 000006
【図５】
0003161481.tif 000007
【図６】
0003161481.tif 000008
【図７】
0003161481.tif 000009
【図８】
0003161481.tif 000010
【図９】
0003161481.tif 000011
【図１０】
0003161481.tif 000012